(57)【特許請求の範囲】
【請求項１】
導電性材料を有する回転錘および前記回転錘の回転による機械的エネルギーを電気的エネルギーに変換する発電機を有する発電機構と、時刻を計時する計時機構と、無線情報を受信するアンテナを有する受信機構とを備えた電子時計において、
前記無線情報は時刻情報を含む標準電波であり、当該電子時計は、前記標準電波を受信して前記計時機構の時刻を修正する電波修正時計であり、
前記アンテナは、前記回転錘外周縁の回転軌跡よりも回転錘の半径方向外側に設けられ、
前記アンテナと前記発電機の発電コイルとは、前記回転錘の半径方向において回転錘の回転中心を挟んで互いに対向して配置されていることを特徴とする電子時計。
【請求項２】
請求項１に記載の電子時計において、
前記アンテナの鎖交磁束が通る中心軸と前記発電機の発電コイルの鎖交磁束が通る中心軸とが、前記発電コイルを含む平面に前記アンテナを投影した場合、６０度以上かつ１２０度以下の角度をなしていることを特徴とする電子時計。
【請求項３】
請求項１に記載の電子時計において、
前記アンテナが、時計用ムーブメントの外周部に沿う形状に湾曲しているとともに前記ムーブメントの外周部に沿って配置されていることを特徴とする電子時計。
【請求項４】
請求項１に記載の電子時計において、
前記発電機構および前記計時機構を収納する非導電性部材で形成されたケース体を備え、
前記アンテナの少なくとも一部は前記ケース体に埋設されていることを特徴とする電子時計。
【請求項５】
請求項１に記載の電子時計において、
前記回転錘の回転軸とムーブメントの中心軸とは互いに偏心していることを特徴とした電子時計。
【請求項６】
請求項１に記載の電子時計において、
前記回転錘と前記アンテナとは、前記回転錘の回転軸方向に沿う方向で所定距離だけ離間していることを特徴とする電子時計。
【請求項７】
請求項１に記載の電子時計において、
前記発電機構にて発電された電力を蓄電する蓄電機構と、
前記蓄電機構に蓄電された電力により駆動される駆動機構と、
前記駆動機構の駆動力により回動される時刻表示用の指針とを備えていることを特徴とした電子時計。
【請求項８】
請求項１に記載の電子時計において、
導電性材料からなる腕時計用バンドを備え、時刻視認方向からの投影で前記アンテナと前記腕時計用バンドとの投影像は互いに離間していることを特徴とした電子時計。
【請求項９】
請求項１に記載の電子時計において、
前記アンテナと前記発電機の発電コイルとの間に、前記発電コイルで発生した磁界が前記アンテナに流入することを遮蔽する磁界遮蔽手段が設けられていることを特徴とした電子時計。
【請求項１０】
請求項１に記載の電子時計において、
前記発電機は、前記回転錘の回転による機械エネルギーにて回転されるとともに前記アンテナのアンテナコアを含む平面に略直交方向で所定間隔をもって対向配置された一対の回転子円板と、前記回転子円板の互いの対向面にそれぞれ対向配置された磁石と、前記回転子円板間に前記アンテナのアンテナコアを含む平面に略直交方向に軸線を有して配設された発電コイルと、を備えて構成されていることを特徴とした電子時計。
【請求項１１】
請求項１に記載の電子時計において、
前記アンテナは、軸芯となるアンテナコアおよび前記アンテナコアに巻きまわされたアンテナコイルを有し、前記アンテナコアは、薄板状のアモルファス金属を複数枚積層して形成されていることを特徴とした電子時計。
【請求項１２】
請求項１に記載の電子時計において、
前記発電機構および前記計時機構を収納する非導電性部材で形成されたケース体と、前記回転錘の回転軸方向に交差する方向で前記ケース体の外部に突出する外部操作部とを備え、前記アンテナは前記外部操作部の側に配置されていることを特徴とした電子時計。
【発明の詳細な説明】
【０００１】
【発明の属する技術分野】
本発明は、電子時計および電子機器に関し、特に、回転錘による発電機構と無線情報を受信する受信機構とを備える電子時計および電子機器に関する。
【０００２】
【背景技術】
無線情報を受信する機能を備えた電子時計等の電子機器として、例えば、無線（標準電波）で送信される時刻情報を受信して時刻修正を行う電波時計が知られている。このような電波時計は、通常は電池によって駆動されるが、電波受信に電力が消費されるため、通常の時計に比べて電池の寿命が短くなり、電池交換頻度が増えるという課題があった。
【０００３】
このため、電波時計に発電機構として太陽光発電装置を組み込んだものが知られている（例えば、特許文献１）。
この太陽光発電装置を備えた電波時計は、太陽光発電装置としての太陽電池と、時刻情報を受信するアンテナを有する受信機構と、時刻を計時する計時機構とを備えて構成され、アンテナで受信した時刻情報に従って計時機構の時刻を修正するものである。
このような構成によれば、太陽光発電により発電した電力を用いて計時機構、受信機構を駆動できる。よって、光で太陽電池が発電、充電される限り半永久的に駆動する電波時計とすることができる。
【０００４】
ところで、太陽光発電は、日照量（例えば、曇りや雨）、季節（例えば、冬）、地域（例えば、高緯度地域）などの条件によっては、効率的に発電できず、電力を供給することができない場合があるという問題がある。電波時計は、受信した時刻情報を受信機構で処理（増幅、復調など）するために大きな電力を要する。そのため、受信機構に十分な電力が供給されないと、時刻情報を受信できないか、または、時刻情報を誤受信するなど、受信機構の受信感度が低くなる。また、太陽電池は、光が弱ければ充電したいときに急速充電できないという問題もある。
これらのため、太陽光発電機構付の電波時計は、必ずしも使い勝手の良いものではなかった。
【０００５】
そこで、本発明者は、回転錘を用いた発電装置を電波時計に組み込むことを研究した。この回転錘を用いる発電機構は、回転可能に設けられた回転錘と、この回転錘による機械的エネルギーを電気的エネルギーに変換する発電機とを備えて構成され、発電機のロータを回転錘によって回転し、その回転に伴う磁束変化により発電コイルで発電するものである。このような構成によれば、例えば、この発電装置が組み込まれた電子時計を腕に装着するなどして、回転錘を動かすことで発電できる。よって、太陽光発電に比べて季節、日照量等の条件に左右されずに発電でき、さらに急速発電も容易に行うことができる利点がある。
【０００６】
【特許文献１】
特開平１１−１６０４６４号公報
【０００７】
【発明が解決しようとする課題】
ところで、回転錘の運動によって十分なエネルギーを生み出すためには、回転錘が十分な慣性モーメントを有している必要がある。そのため、回転錘の材質としては、通常、タングステン合金や金合金等の比重の大きな金属（重金属）が用いられる。このような回転錘による発電機構を電波時計に単純に組み込むと、金属製で導電性を有する回転錘がアンテナで受信する時刻情報を遮蔽してしまう。よって、回転錘による発電機構を電波時計に組み込むと、標準電波を受信することができないという問題が新たに生じる。
このような問題は、電波修正機能を有する電子時計に限らず、回転錘による発電装置を備え、かつ外部からの無線情報を受信するアンテナを備えた各種の電子機器においても共通する問題である。
【０００８】
本発明の目的は、従来の問題を解消し、回転錘を備える発電機構で発電することができ、かつ、無線情報を受信することができる電子時計および電子機器を提供することである。
【０００９】
【課題を解決するための手段】
本発明の電子時計は、導電性材料を有する回転錘および前記回転錘の回転による機械的エネルギーを電気的エネルギーに変換する発電機を有する発電機構と、時刻を計時する計時機構と、無線情報を受信するアンテナを有する受信機構と、を備えた電子時計において、当該電子時計は、前記無線情報は時刻情報を含む標準電波であり、当該電子時計は、前記標準電波を受信して前記計時機構の時刻を修正する電波修正時計であり、前記アンテナは、前記回転錘外周縁の回転軌跡よりも回転錘の半径方向外側に設けられ、前記アンテナと前記発電機の発電コイルとは、前記回転錘の半径方向において回転錘の回転中心を挟んで互いに対向して配置されていることを特徴とする。
すなわち、アンテナは、回転錘が回転する際にその外周縁の回転軌跡に対して、回転錘の回転中心側である半径方向内側ではなく、半径方向外側に設けられている。従って、回転錘の回転中心から回転錘外周縁の回転軌跡までの半径を回転半径とすると、アンテナは、回転錘の回転中心からその半径方向において前記回転半径以上離して配置されていることになる。
ここで、発電機構は、電磁発電でもよく、あるいはピエゾ発電でもよい。なお、電磁発電は、エネルギー変換効率の点でピエゾ発電に勝るので好適である。
【００１０】
このような構成によれば、回転錘の回転によって生み出される機械的エネルギーをロータおよび発電コイルを備える発電機によって電気的エネルギーに変換する。この発電機で得られた電力で計時機構や受信機構が駆動される。無線情報をアンテナで受信して、例えば、この無線情報が時刻情報を含む標準電波であれば、この時刻情報に基づいて計時機構の時刻を修正する。
アンテナは、回転錘の外周縁回転軌跡よりもその半径方向外側に設けられるので、回転錘がどの位置にいても、アンテナと回転錘が互いにオーバーラップして平面的に重なることがない。よって、アンテナで無線情報を受信している際中に、回転錘が回転したとしても、無線情報（電波）が回転錘によって遮断されることがなく、アンテナで無線情報を確実に受信することができる。以上において、無線情報は時刻情報に限られず、例えば、ニュース、天気予報などでもよい。
したがって、本発明の電子時計は、無線情報を受信できるとともに、回転錘および発電機による発電を行えるため、天候や季節などに左右されずに発電を行え、かつ急速発電も容易に実現できるため、利便性の高い電子時計とすることができる。なお、回転錘とロータとの間には、増速輪列が設けられていることが好ましい。
【００１１】
なお、回転錘は、３６０度以上回転可能に設けられてもよく、あるいは、中心角が３６０度未満の所定角度に規制された範囲内で回転可能に設けられていてもよい。回転錘の回転角度が所定範囲内に規制されていれば、アンテナの回転軌跡が小さくなるので、時計の中でアンテナを配置できるスペースが広くなる。すると、アンテナ配置の自由度が向上する。また、アンテナと回転錘との距離を大きくとることも可能になるので、アンテナでの受信感度を向上させることができる。
【００１２】
また、このような構成によれば、無線情報の時刻コードを受信機構で受信して、受信した時刻コードに基づいて計時機構の時刻を修正するので、時刻情報として、例えば、長波標準電波を利用すれば、自動的に時刻を正確に修正する電波時計とすることができる。特に、標準電波は、比較的微弱な電波であるため、導電性材料からなる回転錘がアンテナに平面的に重なると、ほとんど受信できなくなるが、本発明では、アンテナが回転錘に対し平面的に重なることがないため、確実に受信できる。
なお、本発明の電子時計は、回転錘で発電するため、通常は腕時計や懐中時計等の利用者に携帯され、利用者の動作等によって回転錘による発電を行う携帯時計であることが好ましい。
【００１３】
アンテナに対して発電コイルで発生する磁界が影響すると、この磁界が無線情報とともにアンテナに重畳されることがあり、アンテナで無線情報を正確に受信できない場合が発生する。このため、再度、無線情報を受信し直す等の処理が必要となり、受信効率が低下する。このため、アンテナと発電コイルとはできる限り離して配置して、発電コイルによる磁界の影響を軽減することが好ましい。一方で、回転錘を備える電子時計において小型化を図るためには、発電機等の各部材を回転錘の回転軌跡の内側に配置し、その外側には前記アンテナのみを配置することが好ましい。
これらの点から、アンテナと発電コイルとを回転錘の回転中心を挟んで互いに対向した位置に配置すれば、アンテナと発電コイルとをできるだけ離して配置できるとともに、電子時計の小型化を図ることができる。
【００１４】
本発明では、前記アンテナの鎖交磁束が通る中心軸と前記発電機の発電コイルの鎖交磁束が通る中心軸とが、前記発電コイルを含む平面に前記アンテナを投影した場合、６０度以上かつ１２０度以下の角度をなして交差していることが好ましい。特に、アンテナおよび発電コイルの各中心軸は、時刻表示部の視認方向から投影された投影面において略９０度で交差していることが好ましい。
【００１５】
また、前記発電機の発電コイルの鎖交磁束が通る中心軸を含む平面に対して前記アンテナの鎖交磁束が通る中心軸が６０度以上かつ１２０度以下の角度で交差していることが好ましい。特に、前記交差角度は略９０度であることが好ましい。
【００１６】
このような構成によれば、アンテナに対して発電コイルから生じる磁界の影響を低減させることができ、この磁界によるアンテナでの誤受信を少なくできる。すなわち、アンテナおよび発電コイルの各中心軸が投影面上で９０度±３０度の角度範囲で交差するか、または、発電コイルの中心軸を含む平面に対してアンテナの中心軸が９０度±３０度の角度範囲で交差すると、アンテナが発電コイルからの磁束線に沿わないので、発電コイルからの磁界がアンテナに干渉し難くなり、アンテナでの誤受信を防止できる。
【００１７】
本発明では、前記アンテナが、時計用ムーブメントの外周部に沿う形状に湾曲しているとともに前記ムーブメントの外周部に沿って配置されていることが好ましい。
このような構成によれば、アンテナがムーブメントに対して沿うので、外形上はムーブメントとアンテナとが連続的に一体化される。すると、ムーブメントからアンテナが突出することないので、全体として小型化されるとともにデザイン性が向上される。
【００１８】
本発明では、前記発電機構および前記計時機構を収納する非導電性部材で形成されたケース体を備え、前記アンテナの少なくとも一部は前記ケース体に埋設されていることが好ましい。ここで、ケース体を形成する非導電性部材としては合成樹脂やセラミック等が例示される。
このような構成によれば、合成樹脂で形成されたケース体は電磁波を遮蔽しないので、アンテナでの受信強度を確保することができる。合成樹脂の強度が金属に比べれば弱いところ、アンテナを合成樹脂に埋設することによりケース体の強度を補強することができる。また、アンテナを合成樹脂で保護することにより、アンテナの耐食性を向上させることができる。合成樹脂であれば、材料コストも低廉であり、また、射出成形によってアンテナを埋設しながら成形可能であるので、製造コストを削減することができる。
【００１９】
本発明の電子時計において、前記回転錘の回転軸とムーブメントの中心軸とは互いに偏心していることが好ましい。
ここで、回転錘の回転軸とムーブメントの中心軸とは互いに偏心しているとは、回転錘の回転軸の位置とムーブメントの中心位置とが異なっていることを意味する。
このような構成によれば、回転錘がムーブメントの中心を回転軸とする場合に比べて、電子時計に与えられる運動から回転錘に作用するトルクがより大きくなる。よって、回転錘の回転により生じる回転エネルギーが大きくなり、結果として発電機での発電性能が向上される。
また、回転錘の回転軸がムーブメントの中心に対して偏心していれば、回転錘の回転軌跡の半径方向外側にムーブメントの地板が残り、回転錘の回転軌跡の外側で地板上にアンテナを配置するスペースを設けることができる。すると、地板上にアンテナを配設できるので、アンテナ配置を含めて組み立てが容易となり製造効率を向上させることができる。
なお、地板は、合成樹脂、セラミック等の非導電性部材や、黄銅、金合金などの反磁性体材料により形成されていることが好ましい。
ここで、回転錘の回転中心と時刻を示す指針の回転中心とは異なることが好ましい。このような構成によれば、指針の指針軸と回転錘の回転軸とが重ならないので、時計を薄型化することができる。
【００２０】
本発明の電子時計は、前記回転錘と前記アンテナとは、前記回転錘の回転軸方向に沿う方向で所定距離だけ離間していることが好ましい。
このような構成によれば、アンテナが回転錘の回転軌跡の外側に位置することに加えて、回転錘の回転軸方向でもアンテナと回転錘との間に距離があるので、回転錘の回転軸に交差する進行方向の電波でもアンテナで受信することができる。例えば、アンテナと回転錘とが、回転錘の回転軸に略直交する平面上で同一高さに配置されていると、回転錘の回転軸に交差して回転錘側からアンテナに向けて進行する電波はアンテナに到達する前に回転錘で遮蔽されてしまう。しかし、本発明によれば、回転錘の回転軸に交差して回転錘側から進行する電波が回転錘に遮蔽されずにアンテナに到達し、アンテナで標準電波を受信することができる。
ここで、両端面が開口した短筒形状のケース体の一端面に裏蓋が設けられ、他端面に文字板が設けられる場合には、回転錘は裏蓋側に配置され、アンテナは文字板側に配置されることが例示される。
このような構成によれば、アンテナと回転錘とを回転錘の回転軸に沿う方向で一定距離をもって配置することができ、回転錘で電波が遮蔽されずにアンテナで受信することができる。
なお、このとき、裏蓋は非導電性部材で形成されることが好ましい。そして、例えば、裏蓋を光透過性および絶縁性を有するサファイアガラス等の無機ガラスやポリカーボネート、アクリル樹脂等の有機ガラスで形成することが好ましい。
このような構成によれば、裏蓋によって電磁波が遮蔽されずにアンテナに到達するので、アンテナにて標準電波を良好に受信することができる。そして、裏蓋がガラスであれば、非導電性部材が電磁波を遮蔽しないことに加えて、光透過性により時計の内部構造を見せることで美観性を向上させることができる。
【００２１】
本発明の電子時計は、前記発電機構にて発電された電力を蓄電する蓄電機構と、前記蓄電機構に蓄電された電力により駆動される駆動機構と、前記駆動機構の駆動力により回動される時刻表示用の指針とを備えていることが好ましい。
このような構成によれば、回転錘の回転から発電機構で発電された電力が蓄電機構に蓄電される。蓄電された電力により駆動機構が駆動されて時刻表示用の指針が駆動される。そして、指針により計時機構で計時された現時刻が表示される。また、所定の送信所から送信される無線情報例えば時刻情報を含む標準電波をアンテナで受信して、この受信した時刻情報により計時機構で計時される時刻が修正される。そして、修正された時刻に従って指針位置が駆動機構により修正される。
【００２２】
本発明では、導電性材料からなる腕時計用バンドを備え、時刻視認方向からの投影で前記アンテナと前記腕時計用バンドとの投影像は互いに離間していることが望ましい。
このような構成によれば、アンテナと腕時計用バンドとが重ならないので、アンテナに鎖交する無線電波を確保でき、アンテナの受信感度を高く維持することができる。腕時計用バンドが導電性材料であれば無線電波が時計用バンドにも引き寄せられてしまうが、時計用バンドとアンテナとが重なっていなければ、時計用バンドに無線電波が引き寄せられるとしてもアンテナの鎖交磁束に対する影響を小さくすることができる。
【００２３】
本発明では、前記アンテナと前記発電機の発電コイルとの間に、前記発電コイルで発生した磁界が前記アンテナに流入することを遮蔽する磁界遮蔽手段が設けられていることが好ましい。
磁界遮蔽手段としては、発電機からの磁力線を引き寄せて通過させ易い強磁性体からなる磁界遮蔽部材をアンテナに沿って１つ以上配置して構成されたものなどが利用できる。この磁界遮蔽部材は、具体的には、鉄、ニッケル、コバルト、あるいはこれらの合金（例えば、パーマロイなどの高透磁率部材）で構成される。
このような構成によれば、アンテナと発電コイルとの間に磁界遮蔽手段が配置されているので、発電コイルからの磁界（磁力線）は磁界遮蔽手段（磁界遮蔽部材）を通過してバイパスし、アンテナを通る磁力線を少なくできるため、磁界遮蔽部材はアンテナに対する磁界シールドとして機能し、アンテナを通る磁気回路を遮蔽することができる。このため、アンテナで無線情報を受信している際に、回転錘の回転により発電コイルで発電され、磁界が発生しても、その磁束は、アンテナよりも発電コイルに近い磁界遮蔽手段に流れやすくなる。よって、アンテナに発電コイルからの磁界が届きにくくなり、その結果、標準電波のような比較的弱い無線情報であっても確実に受信することができる。
また、時刻を示す指針を駆動するステッピングモータが設けられ、前記磁界遮蔽手段の磁界遮蔽部材は、前記ステッピングモータのモータコイルが巻かれたコイルコアを含んで構成されていることが好ましい。
また、前記発電機構で発電された電力を蓄電する二次電池が設けられ、前記磁界遮蔽手段の磁界遮蔽部材は、前記二次電池のケースを含んで構成されていることが好ましい。
磁界遮蔽部材としては、磁界シールド用の部材を新たに設けて構成してもよいが、モータのコイルコアや二次電池のケース等の時計用部品を流用すれば、部品点数の増加を防ぐことができて受信アンテナと発電機とを近接させることが可能となるので省スペース化が図れ、部品コストを低減でき、生産性の低下も防止できる。
なお、ステッピングモータや二次電池においては、コイルコアやケースに前記磁束が流れてもモータの駆動や二次電池の動作に影響しないので問題は無い。
ここで、磁界遮蔽手段は、１つ以上のステッピングモータのみで構成されていてもよく、１つ以上の二次電池のみで構成されていてもよく、さらには、１つ以上のステッピングモータと１つ以上の二次電池とで構成されていてもよい。
そして、ステッピングモータや二次電池等の２つ以上の磁界遮蔽部材が設けられている場合には、これらの磁界遮蔽部材は、アンテナの発電コイル側にアンテナに沿って配置されていることが好ましい。
なお、アンテナのアンテナコアは時計体外部から時計体内部に侵入してくる外部磁界をステッピングモータの手前で遮蔽し、ステッピングモータに対してアンテナは磁界遮蔽部材として作用する。そして、アンテナにて前記外部磁界が遮蔽されることにより、ステッピングモータの誤作動を抑止することができる。
【００２４】
本発明では、前記発電機は、前記回転錘の回転による機械エネルギーにて回転されるとともに前記アンテナのアンテナコアを含む平面に略直交方向で所定間隔をもって対向配置された一対の回転子円板と、前記回転子円板の互いの対向面にそれぞれ対向配置された磁石と、前記回転子円板間に前記アンテナのアンテナコアを含む平面に略直交方向に軸線を有して配設された発電コイルと、を備えて構成されていることが好ましい。
このような構成によれば、発電機の発電コイルから発生する磁界がアンテナのアンテナコアに略直交する。よって、発電コイルからの磁束がアンテナのアンテナコアに沿わないこととなり、発電コイルからの磁界がアンテナに干渉しにくい。その結果、アンテナで無線情報を良好に受信することができる。
ここで、前記発電機はムーブメントの内側に配置され、前記アンテナはムーブメントの外周に配置されていることが好ましい。このような構成によれば、時計体の外部からの外部磁界がアンテナのアンテナコアで遮蔽されて、発電機に到達することがない。すると、耐磁性能が向上され、発電機の回転に外部磁界が影響することがなく、指針による時刻表示が正確に行われる。
【００２５】
ここで、前記回転錘の回転により生じる回転エネルギーを機械エネルギーとして蓄積する機械エネルギー蓄積機構と、前記機械エネルギー蓄積機構に蓄積された機械的エネルギーを前記発電機に伝達するとともに途中に時刻表示用の指針が結合されたエネルギー伝達機構と、前記発電機の回転周期を制御する回転制御機構とを備えていることが好ましい。
ここで、回転制御機構は、回転周期が一つのみに限定されず、複数種類の周期を切り換えて回転周期を制御できることが好ましい。
このような構成によれば、回転錘の回転にて生じたエネルギーが機械エネルギー蓄積機構に蓄積される。機械エネルギー蓄積機構に蓄積されたエネルギーはエネルギー伝達機構により指針に向けて伝達され、時刻表示が行われる。回転制御機構は、例えば計時機構で計時される時刻パルスにより発電機の回転周期を制御している。発電機はエネルギー伝達機構に繋がっており、回転制御機構で発電機の回転が制御されることで、機械エネルギー伝達機構から指針に伝達されるエネルギーの量やタイミングが制御される。すると、指針の回転が計時に合わせた一定周期となり、現時刻表示が行われる。また、複数種類の周期を制御すれば、クロノグラフ、タイマーなどの多機能表示を演出できる。そして、アンテナにて受信された無線情報に含まれる時刻情報に基づいて指針の位置が修正されることにより、正確な時刻表示が行われる。
【００２６】
本発明では、前記アンテナは、軸芯となるアンテナコアおよび前記アンテナコアに巻きまわされたアンテナコイルを有し、前記アンテナコアは、薄板状のアモルファス金属を複数枚積層して形成されていることが好ましい。
このような構成によれば、アモルファス金属は比較的曲げやすく、フェライトなどに比べて湾曲させやすい。よって、アンテナをムーブメントの外周に沿って曲成可能となり、アンテナをムーブメントに沿わせることで、時計のデザイン性を向上させることができる。
あるいは、ムーブメントは、制御回路およびこの制御回路を搭載する絶縁部材で形成された回路受座を備え、前記アンテナは前記回路受座に搭載されていることが好ましい。
このような構成において、アンテナが回路受座に搭載されているので、同じく回路受座に搭載された制御回路にアンテナを近接して配置することができる。すると、回路配線を簡単にすることができるので、組み立て性を向上させることがでできる。
【００２７】
本発明において、前記発電機構および前記計時機構を収納する非導電性部材で形成されたケース体と、前記回転錘の回転軸方向に交差する方向で前記ケース体の外部に突出する外部操作部とを備え、前記アンテナは前記外部操作部の側に配置されていることが好ましい。また、外部操作機構はケース体の胴部を貫通して設けられた金属性の巻真を有し、この巻真は前記アンテナの軸線の延長線上に位置していることが好ましい。
このような構成によれば、外部操作部の巻真によりアンテナの軸線に標準電波が誘導され、アンテナの鎖交磁束が大きくなるので、アンテナの受信感度を向上させることができる。
また、前記アンテナにて前記無線情報を受信する状態での前記回転錘は前記回転軌跡の前記アンテナから最も離隔する位置にあることが好ましい。時計を載置する場合には、ケース体から外部に突出した巻真を上方にした状態で載置することが多いと考えられる。巻真を上方にすると、回転錘は巻真とは反対位置の下方に移動する。従って、回転錘とアンテナとが最も離隔する状態で載置されることとなる。回転錘とアンテナとが離隔しているので、標準電波が回転錘に遮蔽されることなくアンテナに到達するので、アンテナでの受信感度を向上させることができる。特に、標準電波の受信時刻を午前２時などの深夜に設定する場合には、時計が載置された状態で標準電波の受信を行う可能性が高いので、載置した状態で回転錘とアンテナとが最も離隔する構成により、受信時におけるアンテナの受信感度を向上させることができる。
ここで、前記アンテナは、扁平形状の軸芯に巻かれたコイルを有するフラット形状であることが好ましい。このようなフラット型のアンテナであれば、アンテナと巻真とを同じ側に配設することができる。
【００４７】
本発明の電子機器は、回転錘および前記回転錘の回転による機械的エネルギーを電気的エネルギーに変換する発電機を有する発電機構と、無線情報を受信するアンテナを有する受信機構とを備え、前記アンテナは、前記回転錘外周縁の回転軌跡よりも回転錘の半径方向外側に設けられていることが好ましい。
【００４８】
このような構成によれば、回転錘の回転によって生み出される機械的エネルギーを発電コイルによって電気的エネルギーに変換する。この発電機構で得られた電力で電子機器を駆動させることができる。無線情報をアンテナで受信して、例えば、この無線情報が時刻情報を含むものであれば、この時刻情報に基づいて時刻を表示し、無線情報がニュースであれば、このニュースを表示する。
アンテナは、回転錘の外周縁の回転軌跡よりも回転錘の半径方向外側に設けられるので、回転錘がどの位置にいても、アンテナと回転錘が平面的に重なることがない。よって、アンテナで無線情報を受信している際中に、回転錘が回転したとしても、無線情報が回転錘によって遮断されることがなく、アンテナで無線情報を受信することができる。
以上において、無線情報は時刻情報、ニュースに限られず、例えば、天気予報、電車の時刻表情報等の各種情報でもよい。
【００４９】
【発明の実施の形態】
以下、本発明の実施の形態を図示例と共に説明する。
（第１実施形態）
図１に、本発明の電子時計に係る第１実施形態として腕時計型の電波時計を示す。図１は、この電波時計の裏蓋をはずした状態の平面図である。図２は、図１の要部の断面図である。なお、図１中紙面上方を６時方向、図１中紙面下方を１２時方向、図１中紙面右方向を３時方向とする。
電波時計１は、本体ケース７と、本体ケース７の内部に配設された時計用ムーブメント１００と、無線情報として時刻情報を含んだ標準電波を受信するアンテナ６とを備えている。
【００５０】
本体ケース７は、略リング形状で、セラミック、合成樹脂等の非導電性材料や黄銅、金、金合金などの反磁性体材料から形成されている。本体ケース７の外周で互いに反対位置には、腕時計用バンド７７を取り付ける取付部が形成されている。
この本体ケース７の一端面側には、時刻表示部７６が設けられているとともに、時刻表示部７６の外側から風防７５として非導電性のガラス（サファイアガラスなど）が嵌設されている（図２参照）。時刻表示部７６は、本体ケース７のリング内に取り付けられた文字板７６１と、文字板７６１上を回動する図示しない指針とを備えて構成されている。
略円形状の文字板７６１の背面と本体ケース７の内壁とにより、略円形状の凹部７１が形成されている。凹部７１は、時刻表示部７６とは反対側に向けて開口しており、この凹部７１に時計用ムーブメント１００が配設されている。図２に示されるように、凹部７１は、裏蓋７４によって閉塞されている。なお、文字板７６１および裏蓋７４は非導電性部材（セラミック、合成樹脂など）で形成されている部分があることが望ましい。
【００５１】
本体ケース７には、図２中の断面図に示されるように、アンテナ６を収納する収納空間７２が本体ケース７を中空状にくり貫いて形成されている。収納空間７２と凹部７１とは連通路によって連通されており、アンテナ６からの配線がムーブメント１００に接続可能である。
本体ケース７の略３時側方向に外部操作機構７３が設けられている。外部操作機構７３としては、０段目、１段目、２段目の三段階で位置設定可能に設けられた竜頭７３１と、竜頭７３１を間にして互いに反対側に設けられた第１スイッチ７３２および第２スイッチ７３３とを備えて構成されている。
【００５２】
時計用ムーブメント１００は、発電機構としての発電装置２と、発電装置２で発電された電力を蓄電する二次電池３と、二次電池３を電源として駆動される駆動部４と、水晶振動子５１や制御用ＩＣ５２等が実装された回路ブロック５と、これらを挟持して一体化する地板８１および輪列受け８２とを備えて構成されている。
【００５３】
発電装置２は、半円形の板で回転中心がムーブメント１００にボールベアリングを介して回転可能に支持された回転錘２１と、この回転錘２１の回転による機械的エネルギーを歯車列によって伝達する動力伝達部２２と、この動力伝達部２２によって伝達された動力によって発電する発電機とを備える。この発電機は、動力伝達部２２により伝達された動力で回転される発電用ロータ２３と、発電用ステータ２４（パーマロイ材使用）および発電用コイル２５とを備えた一般的な発電機である。
【００５４】
回転錘２１は、回転中心と重心とが偏心した略半円形の導電性の部材で構成され、具体的には、図２に示されるように、回転軸部分を有する薄板状の腕部２１Ａと、この腕部２１Ａの外周部に固定された重錘部２１Ｂとを備える。重錘部２１Ｂは、タングステン合金や金合金等の比重の大きい材質から形成され、回転によって発電に十分なエネルギーを発生させる。腕部２１Ａと重錘部２１Ｂとは一体成形されていてもよい。
発電用ロータ２３は、２極以上の円形磁石等で構成される。
二次電池３は、従来知られた構成であり、そのケース（外缶）が強磁性体の金属で形成されている。ケース（外缶）を形成する強磁性体としては、例えば、ＳＵＳ３０４などが用いられる。
【００５５】
駆動部４は、時刻表示部７６の指針（不図示）を駆動するためのステッピングモータである指針駆動用モータ４１と、この指針駆動用モータ４１の動力を指針に伝達する輪列部４２とを備えて構成されている。
指針駆動用モータ４１は、棒状のコイルコア４１５に巻かれたモータ用コイル４１１と、このモータ用コイル４１１からの誘起磁界を伝達する板状のモータ用ステータ４１２と、モータ用ステータ４１２のステータ孔部分に回転自在に配置されて誘起磁界によって回転されるモータ用ロータ４１３とを備えて構成されている。モータ用ロータ４１３のロータ磁石４１４は、２極以上に着磁された希土類磁石を使用し、例えば、サマリウムコバルト系を用いることが望ましい。モータ用ロータ４１３は輪列部４２に噛合されている。
指針駆動用モータ４１の棒状のコイルコア４１５、板状のモータ用ステータ４１２は、パーマロイ材等の高透磁率部材によって形成されている。
輪列部４２の歯車列の歯車軸は、主に炭素鋼やステンレス鋼などの鋼材によって形成されている。
【００５６】
回路ブロック５は、一定周期の発振を行う水晶振動子５１と、制御用ＩＣ５２等を備えて構成されている。
水晶振動子５１としては、基準クロックを発振する計時用の水晶振動子５１１と、標準電波の周波数に同調する同調信号生成用の同調用水晶振動子５１２、５１３とが設けられている．同調用水晶振動子は、たとえば、日本国内では、６０ｋＨｚの標準電波に同調するための水晶振動子５１３と、４０ｋＨｚの標準電波に同調するための水晶振動子５１２との二つが設けられる。また、例えば、欧米では、６０ｋＨｚの水晶振動子、７７．５ｋＨｚの水晶振動子を用いる。
制御用ＩＣ（Ｉｎｔｅｇｒａｔｅｄ  Ｃｉｒｃｕｉｔ）５２は、水晶振動子５１からの周波数を分周して基準クロックを生成する分周回路や、基準クロックをカウントして時刻を計時する計時回路や、計時回路からの信号をもとに指針駆動用モータ４１を制御する制御回路や、アンテナ６で受信した時刻情報を処理（増幅、復調）する受信回路などを備えて構成されている。制御用ＩＣ５２は、可能な回路部分を共有化したり、アナログ回路ではなくコンピュータ等でソフト的に構成してもよい。ここで、水晶振動子５１、分周回路および計時回路を備えて計時機構が構成されている。
【００５７】
地板８１は、略円板形状に形成された非導電性部材（たとえばプラスチックを使用）または反磁性体材料（たとえば黄銅を使用）であって、本体ケース７の凹部７１に載置されるとともに文字板７６１上にネジ止めされている。そして、発電装置２、二次電池３、駆動部４、水晶振動子５１および回路ブロック５は地板８１上に載置されている。
輪列受け８２は、裏蓋７４側に設けられている。発電装置２、二次電池３、駆動部４、水晶振動子５１および回路ブロック５は、地板８１及び輪列受け８２によって挟持されている。なお、輪列受け８２は、地板８１と同じ材質で構成されている。
【００５８】
アンテナ６は、フェライトからなる棒状のアンテナコア６１と、このアンテナコア６１に巻回されたアンテナコイル６２とを備えて構成されている。アンテナ６は、本体ケース７の収納空間７２に収納されている。アンテナ６で受信された時刻情報（無線情報）は制御用ＩＣ５２の受信回路に出力されて、信号処理がなされる。ここに、アンテナ６と制御用ＩＣ５２の受信回路とから受信機構が構成される。
なお、アンテナ６で受信する時刻情報としては、例えば、長波標準電波（ＪＪＹ）などを利用できる。
【００５９】
次に、電波時計１の構成のレイアウトについて説明する。
アンテナ６は、回転錘２１の外周縁の回転軌跡よりも回転錘２１の半径方向外側に配置されている。換言すれば、アンテナ６は、回転中心Ｏから回転錘２１の回転軌跡までの回転半径Ｒに対し、回転中心Ｏからアンテナ６の回転中心Ｏ側の内側面までの距離Ｌが大きくなるように配置されている。なお、本実施形態では、アンテナ６と回転錘２１との間に寸法Ｗの隙間が生じるように、アンテナ６が配置されている。
電波時計１を裏蓋７４側から平面的に見た場合、図１に示すように、アンテナ６は、アンテナ６の中心軸６Ａつまりアンテナコア６１の中心軸が発電用コイル２５の中心軸２５Ａと略９０度の角度θ１で交差するように配置されている。
【００６０】
また、時計用バンド７７がＳＵＳ（ステンレス鋼）、チタン合金、金合金、真鍮などの導電性材料を含んで形成されている場合、アンテナ６と時計用バンド７７とは平面的に重ならない位置関係に配設されていることが望ましい。このような構成において、腕時計用バンド７７が導電性材料であれば標準電波が時計用バンド７７にも引き寄せられてしまうが、時計用バンド７７とアンテナ６とが重ならないので、時計用バンド７７がアンテナ６の鎖交磁束に与える影響を小さくすることができる。
【００６１】
平面的な配置において、アンテナ６と発電用コイル２５との間に、二次電池３および指針駆動用モータ４１が配置されている。この二次電池３のケースおよびモータ４１のコイルコア４１５は発電用コイル２５から発生した磁束がアンテナ６に流れるのを抑止する磁界遮蔽部材として機能し、この２つの部材を含んで磁界遮蔽手段が構成されている。
すなわち、本実施形態では、磁界遮蔽手段は、主として二次電池３のケースおよびモータ４１のコイルコア４１５で構成されるが、アンテナ６と発電用コイル２５との間に配列される輪列部４２や動力伝達部２２などの歯車列および回転錘２１などの金属製部品も磁界遮蔽手段に含まれる。
なお、磁界遮蔽部材（磁界遮蔽手段）がアンテナ６と発電用コイル２５との間に配置されているとは、発電用コイル２５で発生した磁界がアンテナ６を通って閉じる磁気回路に比べ、磁界遮蔽部材を通って閉じる磁気回路のほうの回路長が短くなることを意味する。すなわち、発電用コイル２５の各両端と、アンテナ６の両端との間の距離よりも、二次電池３や指針駆動用モータ４１で構成される磁界遮蔽手段の両端との間の距離のほうが近いことを意味する。
ここで、発電コイル２５のコイルコア２５１（パーマロイ材を使用）の両端は、地板８１の外周に沿って配置されることが望ましい。これにより、棒状のコイルコア２５１の総丈を長くできるから、コイルの巻数を多くでき、発電性能を向上させることができる。そして、アンテナ６と発電コイル２５とは、略９０度の角度θ１で交差されていると、コイルコア２５１の総丈が長くなっても受信時の誤動作を防止できる。
【００６２】
このような構成において、電波時計１を腕に装着して腕を振ると、回転錘２１が回転する。すると、回転錘２１の回転による機械的エネルギーが動力伝達部２２の歯車列を介して発電用ロータ２３に伝達され、発電用ロータ２３が回転される。発電用ロータ２３が回転すると、発電用ステータ２４に磁界の変動が生じ、この磁界の変動によって発電用コイル２５に誘導電流が生じる。この誘導電流は二次電池３に蓄電される。この蓄電された電力によって、水晶振動子５１や制御用ＩＣ５２、指針駆動用モータ４１が駆動される。
【００６３】
水晶振動子５１に電圧が印加された際に出力される発振信号が制御用ＩＣ５２上の分周回路で分周されて基準信号が生成され、この基準信号をもとに制御用ＩＣ５２上の計時回路で時刻が計時されるとともに、指針駆動用モータ４１が駆動され、モータ用ロータ４３が回転される。モータ用ロータ４３の回転は輪列部４２によって指針に伝達され、時刻が表示される。
アンテナ６によって、時刻情報を受信すると、この時刻情報に基づいて制御用ＩＣ５２上の計時回路で計時される時刻が修正され、この修正された時刻が指針によって示される。
【００６４】
次に、この電波時計１の操作について説明する。
操作モードとしては、竜頭０段目での時刻表示モードと、竜頭１段目での時刻手動修正モードと、竜頭２段目での指針０位置修正モードとの三つのモードがある。
竜頭０段目の時刻表示モードにおいて、通常は現時刻表示が行われる。この状態で、第１スイッチ７３２を２秒以上押すと、標準電波の強制受信モードに移行し、標準電波の受信が行われる。受信が完了すると受信した時刻情報に従って時刻修正が行われ、その後、通常の運針に移行する。標準電波の受信に成功しなかった場合でも、通常の現時刻カウンタに従った運針に移行する。また、第２スイッチ７３３を押すと、受信確認モードに移行する。受信確認モードでは、直近の数時間以内に受信に成功していれば受信成功の合図として秒針が３０秒位置（文字板７６１上で“６”を指す）に移動される。受信に成功していなければ、指針の運針が停止される。受信確認モードは５秒間行われ、その後通常の運針に移行する。
【００６５】
竜頭１段目の時刻手動修正モードにおいて、第１スイッチ７３２を一回押すと、秒針が一目盛り早送りされ、第１スイッチ７３２を所定時間継続して押すと、秒針が１２８Ｈｚのパルスで早送りされる。第２スイッチ７３３を一回押すと、分針が一目盛り早送りされ、第２スイッチ７３３を所定時間継続して押すと、分針が１２８Ｈｚのパルスで早送りされる。
竜頭２段目の指針０位置修正モードにおいて、第１スイッチ７３２を押すと、秒針が帰零される。また、第２スイッチ７３３を押すと、分針が帰零される。
【００６６】
このような構成における第１実施形態によれば次の効果を奏することができる。
（１）アンテナ６は、回転錘２１の回転中心Ｏから回転錘２１の回転半径Ｒ以上離隔して配置されているので、回転錘２１が回転してどの位置にいても、回転錘２１がアンテナ６に平面的に重なることはない。よって、回転錘２１がどの位置にいても、アンテナ６に入射する時刻情報を遮断することはないので、回転錘２１の位置にかかわらず、アンテナ６は時刻情報を受信することができる。すなわち、回転錘２１を有する発電装置２で発電しながら、アンテナ６で時刻情報を受信することができる。
【００６７】
（２）アンテナ６は、アンテナ６のアンテナコア６１の中心軸６Ａが発電用コイル２５の中心軸２５Ａと略９０度の角度θ１で交差するように配置されている。よって、アンテナ６で時刻情報を受信している最中に、回転錘２１が回転して発電用ロータ２３から磁界が発生しても、この磁界の磁束とアンテナ６のアンテナコイル６２とが略直交しているため、磁界の磁束がアンテナ６に重畳しにくい。その結果、アンテナ６に対する発電用コイル２５からの磁界の影響を低減することができて誤受信を無くすことができ、アンテナ６の受信感度も良好にできる。
【００６８】
（３）アンテナ６と発電用コイル２５との間に、二次電池３や指針駆動用モータ４１等の磁界遮蔽部材が配置されているので、発電用コイル２５から発生する磁界の磁束は、アンテナ６に届く前に、二次電池３や指針駆動用モータ４１等を通過して、再び発電用コイル２５に戻る閉ループを形成しやすくなる。特に、指針駆動用モータ４１のコイルコア４１５、モータ用ステータ４１２をパーマロイ材等の高透磁率材で形成したので、この高透磁率の媒体に磁束をより多く通過させ、アンテナ６の方へまわる磁束を減少させることができる。よって、発電用コイル２５からの磁界がアンテナ６に届きにくくなるので、アンテナ６に対する発電用コイル２５からの磁界の影響を低減し、アンテナ６の受信感度をより一層良好にすることができる。なお、動力伝達部２２、輪列部４２、回転錘２１などの歯車の軸は、炭素鋼やステンレス鋼などの鋼材によって形成されているので、このような鋼材によっても発電用コイル２５からの磁界がアンテナ６に届かないように遮蔽することができる。
これらの磁界遮蔽部材は、電波時計１の部品として機能するものであり、磁界遮蔽用の新たな部品を組み込む必要が無く、アンテナ６、二次電池３、指針駆動用モータ４１、発電コイル２５の平面的なレイアウトを調整するだけでよいため、部品点数の増加を抑え、コスト増や生産性の低下を防止できる。
【００６９】
（４）アンテナコア６１は磁性体であるフェライトで形成されているので、外部から電波時計１に侵入してくる磁界はアンテナコア６１に引き寄せられて電波時計１の内部までは侵入しない。よって、外部からの磁界が指針駆動用モータ４１の磁気回路内部まで侵入するのを抑止し、指針駆動用モータ４１が外部磁界によって誤作動するのを防止することができる。
【００７０】
（５）磁界遮蔽部材によって、発電用コイル２５からの磁界がアンテナ６に届きにくくなるので、アンテナ６のアンテナコア６１の磁歪（磁気ひずみ）を抑えることができる。よって、磁歪によるアンテナ６の内部破壊促進を抑えることができ、アンテナ６の寿命を延ばすことができる。
磁歪によって生じるアンテナコア６１の伸縮が抑止できるので、アンテナコイル６２の表面に施されている電気的絶縁被覆膜とアンテナコア６１との擦れを防ぐことができる。よって、アンテナコイル６２とアンテナコア６１との電気的な絶縁状態を長く維持することができる。
【００７１】
（第２実施形態）
図３に本発明の電子時計に係る第２実施形態としての電波時計１を示す。この電波時計１は、基本的構成は第１実施形態と同様であり、第２実施形態が第１実施形態と異なるのは、アンテナ６、二次電池３、発電用コイル２５、モータ用コイル４１１の配置である。
本実施形態では、アンテナ６と発電用コイル２５とは、回転錘２１の回転中心Ｏを挟んで互いに対向して配置されている。そして、電波時計１の構成上、アンテナ６と発電用コイル２５とは、互いに最も離れた位置に配置されていることがより好ましい。
【００７２】
発電用コイル２５とアンテナ６との間には、二次電池３と指針駆動用モータ４１とが配置されている。このモータ用コイル４１１のコイルコア４１５と二次電池３のケースを含んで磁界遮蔽手段が構成されている。磁界遮蔽手段は、主としてモータ用コイル４１１のコイルコア４１５と二次電池３のケースで構成されるが、アンテナ６と発電用コイル２５との間に配列される輪列部４２や動力伝達部２２などの歯車列および回転錘２１などの金属製部品も磁界遮蔽手段として含まれる。このため、発電用コイル２５で発生する磁界の磁気回路は、アンテナ６を通らずに、モータ用コイル４１１のコイルコア４１５、二次電池３、歯車列等を通して閉じるように形成される。
ここで、発電用コイル２５のコイルコア２５１は棒状となっており、そのコイルコア２５１の両端は、地板８１の外周縁に沿って配置されていることが望ましい。これによって、アンテナ６と発電用コイル２５が、回転錘２１の回転中心Ｏを挟んで互いに反対側で、その構成上最も離れた位置に配置されていることになる。また、発電用コイル２５のコイルコア２５１は棒状となっており、そのコイルコア２５１の両端は、地板８１の外周縁に沿って配置されているので、発電コイル２５の巻数を増やすことが可能となって、発電性能を向上させることができる。さらに、発電性能向上を図るためには、発電コイル２５は、地板の外周形状に沿って巻かれていてもよい。
ちなみに、アンテナ６が回転錘２１の回転軌跡の径方向外側に配置されている点は前記第１実施形態と同じである。
【００７３】
このような構成によれば、第１実施形態の効果（１）、（３）、（４）、（５）と同様の効果に加えて次の効果を奏することができる。
（６）アンテナ６と発電用コイル２５が、回転錘２１の回転中心Ｏを挟んで互いに反対側で、その構成上最も離れた位置に配置されているので、発電用コイル２５から発生された磁界がアンテナ６に届きにくい。このため、アンテナ６での受信時にコイル２５からの磁界の影響を受けにくくできて誤受信も抑えることができる。
【００７４】
（第３実施形態）
図４に、本発明の電子時計にかかる第３実施形態としての電波時計１を示す。この電波時計１は、基本的構成は第２実施形態と同様であり、第３実施形態が第２実施形態と異なるのは、次の点である。
すなわち、第２実施形態では、二次電池３は１つしか設けられていなかったが、本実施形態では、２つの二次電池３ａ、３ｂが設けられている。そして、発電用コイル２５とアンテナ６との間には、２つの二次電池３ａ、３ｂと、指針駆動用モータ４１とが配置されている。
【００７５】
従って、磁界遮蔽手段は、主としてモータ用コイル４１１のコイルコア４１５と、二次電池３ａ、３ｂの各ケースとで構成されるが、アンテナ６と発電用コイル２５との間に配列される輪列部４２や動力伝達部２２などの歯車列および回転錘２１などの金属製部品も磁界遮蔽手段として含まれる点は前記実施形態と同じである。このため、発電用コイル２５で発生する磁界の磁気回路は、アンテナ６を通らずに、モータ用コイル４１１のコイルコア４１５、二次電池３ａ、３ｂ、歯車列等を通して閉じるように形成される。
【００７６】
このような構成によれば、上記実施形態の効果（１）、（３）、（４）、（５）、（６）と同様の効果に加えて次の効果を奏することができる。
（７）アンテナ６と発電用コイル２５との間に、２つの二次電池３ａ、３ｂとモータ用コイル４１１とが配置されているので、磁界遮蔽手段の全長を前記各実施形態よりも長くでき、発電用コイル２５から発生する磁界の磁束が、二次電池３ａ、３ｂおよびモータ用コイル４１１を通過して、再び発電用コイル２５に戻る閉ループをより一層形成しやすくなる。よって、磁界遮蔽手段による磁界シールド効果を向上でき、アンテナ６に対する発電用コイル２５からの磁界の影響をより一層低減することができる。
【００７７】
（第４実施形態）
図５に、本発明の電子時計にかかる第４実施形態としての電波時計１を示す。図６に、図５中ＶＩ−ＶＩ線での断面図を示す。この電波時計１は、基本的構成は第２実施形態と同様であり、第４実施形態が第２実施形態と異なるのは、次の点である。
すなわち、第２実施形態では、指針駆動用モータ４１は１つしか設けられていなかったが、本実施形態では、２つの指針駆動用モータ４１ａ、４１ｂを設けている。
発電用コイル２５とアンテナ６との間には、二次電池３と２つの指針駆動用モータ４１ａ、４１ｂとが配置されている。指針駆動用モータ４１ａ、４１ｂはそれぞれ秒針駆動用のモータと時分針駆動用のモータである。
二次電池３は、アンテナ６に隣接して配置されているが、二次電池３はアンテナ６の両端部ではなくアンテナ６の長手の辺に対して隣接して配置されている。磁界遮蔽手段は、主としてモータ用コイル４１１ａ、４１１ｂの各コイルコア４１５ａ，４１５ｂと二次電池３のケースで構成されるが、アンテナ６と発電用コイル２５との間に配列される輪列部４２や動力伝達部２２などの歯車列および回転錘２１などの金属製部品も磁界遮蔽手段として含まれる点は前記実施形態と同じである。
【００７８】
図７に、発電装置２で発電された電力を二次電池３に蓄電する回路９を示す。この回路９は、発電機の発電コイル２５と、発電コイル２５で発電された電流を整流する整流回路９１と、整流された電力を蓄電する二次電池３と、発電コイル２５と整流回路９１との間に設けられ二次電池３の過充電を防止する過充電防止回路９２とを備えて構成されている。さらに、二次電池３に対して二次電池３に蓄電された電力にて駆動され現時刻カウンタおよびモータドライバ等を含む時計回路が接続され、時計回路には、指針駆動用モータ４１ａ、４１ｂが接続されている。
【００７９】
整流回路９１は、発電コイル２５に対して接続されたブリッジ回路で構成されている。ブリッジ回路は、四つのダイオード９１１が矩形状に直列に接続されたものであり、矩形の対角線を境にして一方側と他方側とがそれぞれ発電コイル２５に接続されている。整流回路９１によって発電コイル２５で発電された電流が全波整流され、整流された電力は二次電池３に充電される。
【００８０】
過充電防止回路９２は、順方向を互いに逆向きにして直列に接続された二つのダイオード９１２と、二つのダイオード９１２のうち一方に並列に設けられたリミッタスイッチ手段９１３とを備えて構成されている。
リミッタスイッチ手段９１３は、たとえば、電界効果型トランジスタ（ＭＯＳ−ＦＥＴ）を有して構成されている。リミッタスイッチ手段９１３は、通常はＯＦＦ状態となり発電コイル２５で発電された電流を整流回路に流すが、二次電池３の蓄電電圧がしきい値以上になるとスイッチがＯＮ状態になり、発電コイル２５の両端をショートさせる。
また、アンテナ６で標準電波を受信する際には、リミッタスイッチ手段９１３はＯＮ状態になり、発電コイル２５の両端をショートさせる。発電コイル２５の両端がショートされることにより、二次電池３への充電が停止される。
【００８１】
このような構成によれば、上記実施形態の効果（１）、（３）、（４）、（５）、（６）と同様の効果に加えて次の効果を奏することができる。
（８）アンテナ６と発電用コイル２５との間に、二次電池３とモータ用コイル４１１ａ、４１１ｂが配置されているので、磁界遮蔽手段の全長を前記各実施形態よりも長くでき、発電用コイル２５から発生する磁界の磁束が、二次電池３およびモータ用コイル４１１ａ、４１１ｂのコイルコア４１５ａ，４１５ｂを通過して、再び発電用コイル２５に戻る閉ループを形成しやすくなる。よって、磁界遮蔽手段による磁界シールド効果を向上でき、アンテナ６に対する発電用コイル２５からの磁界の影響をより一層低減することができる。特に、各コイルコア４１５ａ，４１５ｂは二次電池に比べて長さが大きいため、第３実施形態の２つの二次電池３ａ、３ｂと１つのモータ４１を設けた場合よりも、本実施形態の磁界遮蔽手段のほうが全長を大きくできるため、磁界シールド効果もより一層向上できる。
【００８２】
（９）過充電防止回路９２にリミッタスイッチ手段９１３が設けられ、アンテナ６で標準電波を受信する最中には、リミッタスイッチ手段９１３がＯＮ状態になって二次電池３の充電が停止される。二次電池３を充電すると電池の電界変化により磁界が生じ、この磁界がアンテナ６での電波受信に影響を与えることが考えられるが、アンテナ６で受信中には二次電池３の充電が停止されるので、二次電池３からの磁界が電波受信に影響するのを防止してアンテナ６の受信感度を向上させることができる。二次電池３がアンテナ６の電波受信に影響しないことから、二次電池３を図６に示すように、アンテナ６に近接させることができるなどレイアウトの自由度が向上する。そして、二次電池３をアンテナ６の近傍に配設することにより、二次電池で磁界遮蔽手段を構成することができる。なお、アンテナ６での電波受信時間は、１日に数分から数十分程度であり、この間だけ充電を停止するとしても、二次電池の充電量に影響を与えることはほとんどない。
【００８３】
（１０）二次電池３は、アンテナ６の端部ではなく長手の辺に隣接している。アンテナ６の端部に二次電池が位置していると、アンテナ６への鎖交磁束が二次電池３の外缶の方に引き寄せられてしまい、アンテナ６の鎖交磁束が減少してしまうこととなる。しかし、二次電池３はアンテナ６の端部ではなく長手の辺に隣接しているので、アンテナ６の鎖交磁束には影響することなく発電機からの磁界を遮蔽することができる。
なお、二次電池３をアンテナ６の長手の辺に隣接させる場合、アンテナ６の中央部側に位置していることが好ましい。二次電池３がアンテナ６の中央部側に位置した方が、アンテナ６の鎖交磁束への影響を少なくすることができる。例えば、図５に比べて、図１に示すように二次電池３がアンテナ６の中央部によって配設されている方が、二次電池３からアンテナ６の鎖交磁束への影響を低減することができる。
【００８４】
（第５実施形態）
図８に、本発明の電子時計にかかる第５実施形態としての電波時計１を示す。この電波時計１は、アンテナ６が回転錘２１の回転軌跡の径方向外側に配置されている点は、前記各実施形態と同様であるが、発電装置２と駆動部４の具体的構成が相違する。
発電装置２は、２つの発電機２８と、この発電機２８を駆動する回転錘２１と、回転錘２１の動力を各発電機２８に伝達する２組の動力伝達部２２と、外部から回転操作可能に設けられたリューズ７３１の巻真２６と、巻真２６の回転を各発電機２８に伝達する２組の輪列２７とを備えて構成されている。
【００８５】
発電機２８は、図９の断面図に示されるように動力伝達部２２や輪列２７によって伝達される回転（機械的エネルギー）によって回転されるとともに、所定間隔を有しかつ同軸心に設けられた一対の回転子円板２８１、２８２と、この回転子円板２８１、２８２に９０度間隔で４点に対向して設けられた磁石２８４と、回転子円板２８１、２８２の間に配置された３つのコイル２８５とを備えて構成されている。
回転子円板２８１、２８２の回転軸、コイル２８５の中心軸方向は、図８の紙面直交方向である。すなわち、コイル２８５の軸方向は、アンテナ６のアンテナコア６１を含む平面に対して略直交する方向である。
【００８６】
駆動部４は、多極モータ４３で構成されている。この多極モータ４３は、多極モータ用コイル４３１と、モータ用コイル４３１からの磁界を伝達する多極モータ用ステータ４３２と、多極モータ用ステータ４３２のステータ孔に回転自在に設けられた多極モータ用ロータ４３３とを備えて構成されている。多極モータ用ロータ４３３の外周には多極の磁石が形成されている。多極モータ用ステータ４３２には、多極モータ用ロータ４３３に向かって多数の歯が形成されている。多極モータ用ロータ４３３の回転軸には時刻を表示する指針が設けられている。
【００８７】
このような構成において、回転錘２１が回転するかまたは巻真２６が手巻き操作によって回転すると、動力伝達部２２または輪列２７によって動力が伝達され、発電機２８の回転子円板２８１、２８２が回転される。回転子円板２８１、２８２の回転とともに、磁石２８４が回転されると、コイル２８５を貫く磁束密度が変化されるので、コイル２８５に電流が発生する。
多極モータ用コイル４３１に指針駆動のパルスが出力されると磁界が発生する。この磁界が多極モータ用ステータ４３２を介して多極モータ用ロータ４３３に作用して、多極モータ用ロータ４３３がステップ回転され、指針がステップ駆動される。
【００８８】
このような第５実施形態によれば、上記実施形態の効果（１）、（３）、（４）、（５）と同様の効果に加えて次の効果を奏することができる。
（１１）発電機２８のコイル２８５はアンテナ６のアンテナコア６１を含む面に対して略直交しているので、発電機２８の発電コイル２８５から発生する磁界の磁束に対して、アンテナ６が直交する。よって、アンテナ６が発電機２８の発電コイル２８５からの磁界の磁束線に沿わないので、発電機２８の発電コイル２８５からの磁界がアンテナ６に干渉し難くなり、アンテナ６に対するコイル２８５からの磁界の影響を低減できるため、アンテナ６の受信感度を良好にすることができる。
【００８９】
（１２）アンテナ６に対して発電機２８の発電コイル２８５から発生する磁界の磁束が干渉しにくいので、アンテナ６に対する磁歪作用を抑止することができる。よって、第１実施形態の効果（５）と同様の効果を奏することができる。つまり、磁歪によるアンテナ６の内部破壊促進を抑えることができ、また、アンテナコイル６２とアンテナコア６１との電気的な絶縁状態を長く維持することができる。
【００９０】
（第６実施形態）
図１０に、本発明の電子時計にかかる第６実施形態としての電波時計１を示す。図１０は、第６実施形態の部分断面図である。
この電波時計１は、基本的構成は第１実施形態と同様であり、第６実施形態が第１実施形態と異なるのは、次の点である。
電波時計１は、本体ケース７と、本体ケース７の内部に配設された時計用ムーブメント１００と、無線情報として時刻情報を含んだ標準電波を受信するアンテナ６とを備えている。
【００９１】
本体ケース７は、略リング形状で、非磁性体である合成樹脂から形成されている。この本体ケース７の一端面側には、本体ケース７のリング内に取り付けられた文字板７６１と、文字板７６１よりも外側から本体ケース７に嵌設された風防ガラス７５とが設けられている。また、本体ケース７の他端面側には、裏蓋７４が設けられている。
そして、文字板７６１は合成樹脂、セラミック等の非導電性材料または黄銅などの反磁性体材料で形成されており、裏蓋７４は非導電性のガラスで形成されている。
【００９２】
アンテナ６は、第１実施形態と同様に本体ケース７内に設けられているが、アンテナ６は、本体ケース７の合成樹脂に埋設されそのアンテナ外周面がすべて被覆されている。アンテナ６を本体ケース７に埋設する際には、アンテナ６を所定位置にセットした状態で射出成形にて本体ケース７を成形することが例示される。合成樹脂としては、ポリカーボネート、ＡＢＳ（アクリロニトリル‐ブタジエン‐スチレン樹脂）などが使用される。
【００９３】
このような構成によれば、上記実施形態の効果（１）（３）（４）（５）に加えて、次の効果を奏することができる。
（１３）本体ケース７が合成樹脂で形成されているので、金属などと違って電磁波を遮蔽することがない。裏蓋７４も非導電性材料からなるガラスで形成されているので、電磁波を遮蔽することがない。従ってアンテナ６の受信感度を向上させることができる。
【００９４】
（１４）裏蓋７４が非導電性材料のガラスであるので、アンテナ６に流れこむ電磁界を遮蔽しないことに加えて、内部を見せるシースルー構造とすることができ美観性を向上させることができる。
（１５）合成樹脂の本体ケース７にアンテナ６を埋設するので、アンテナコア６１の剛性により本体ケース７の強度を高めることができる。また、アンテナ６を合成樹脂に埋設することにより、アンテナ６のコイルやコア等の金属を腐食などから保護してアンテナ６の耐食性を向上させ、さらに電気絶縁性を向上させることができる。さらに、永年使用した場合、発電機構の増速輪列等から発生する金属の磨耗粉がアンテナ６の外周部表面に少しずつ付着されて、受信感度が徐々に低下するといった不具合を防止できる。すなわち、アンテナ６と回転錘２１との距離のみならず、アンテナ６と金属の磨耗粉との距離も一定に保たれるので、長期間にわたる受信感度が保障される。
【００９５】
（第７実施形態）
次に、本発明の第７実施形態について、図１１、図１２、図１３を参照して説明する。図１１に、第７実施形態の平面図を示し、図１２に第７実施形態の要部の部分断面図を示し、図１３にアンテナ６の断面図を示す。
第７実施形態の基本的構成は、上記実施形態と同様であるが、アンテナ６の形状および配置に特徴を有する。
【００９６】
アンテナ６は、アンテナコア６１と、アンテナコア６１に巻きまわされたアンテナコイル６２とを備えて構成されている。アンテナコア６１は、図１３に示されるように、０．０１ｍｍ〜０．０５ｍｍ程度の厚さからなる薄板状で長細いアモルファス金属板６１１を複数枚積層されている。アモルファス金属板６１１の材質としては、たとえば、Ｃｏ５０ｗｔ％以上のアモルファス金属で構成される。ここで、アモルファス金属板６１１の厚みが０．０５ｍｍより厚くなると、板圧中央部は迅速な冷却を行うことが困難なため、金属はアモルファス化させることなく結晶化されてしまう。すなわち、アモルファス金属を製造するには、金属が結晶化される以前に、迅速な冷却作業を行う必要があり、そのためには、金属の厚みを薄くしなくてはならない。また、アモルファス金属板６１１の厚みが０．０１ｍｍより薄くなると、組立作業等において、アモルファス金属板６１１の強度が弱くなって変形しやすくなるので、部品の位置決め作業や部品の取扱作業等が非常にやりにくくなる。
アモルファス金属板６１１の厚みは総て略同程度であるが、積層方向で上方および下方に積層されるアモルファス金属板６１１の幅は、中央に積層されるアモルファス金属板６１１に比べてしだいに幅狭に形成されている。アモルファス金属板６１１同士は、互いにエポキシ系樹脂などの絶縁性の接着材によって接着されている。そして、積層されたアンテナコア６１の断面形状は略楕円形状になっている。また、アンテナコア６１の長さは、地板８１の円周長の略半分程度である。
【００９７】
アンテナコア６１は、地板８１の外周に沿う形状に湾曲され、図１１および図１２に示されるように、地板８１の外周の端面に設けられている。なお、図１１中で紙面上方を６時方向とし、紙面下方を１２時方向とすると、アンテナコア６１は、地板８１の外周で略３時から略９時の範囲に付設されている。
アンテナコイル６２は、アンテナコア６１の略中央部分で所定幅に巻きまわされている。アンテナ６が地板８１の外周に付設された状態では、アンテナコイル６２は略５時から略７時の範囲に対応して設けられている。
【００９８】
発電装置２は、発電機２８と、この発電機２８を駆動する回転錘２１と、回転錘２１の動力を発電機２８に伝達する動力伝達部２２と、外部から回転操作可能に設けられたリューズの巻真２６と、巻真２６の回転を発電機２８に伝達する輪列２７とを備えて構成されている。
ここで、発電機２８の構成は、第５実施形態で説明した構成と同様である。なお、回転錘２１の回転半径は地板８１の半径に同程度であり、アンテナ６は、回転錘２１の回転軌跡の半径方向外側に配置されている。
リューズ７３１の巻真２６は略３時方向に設けられ、強磁性体の金属部材で形成されている。
【００９９】
地板８１上には、発電機２８の他、回路ブロック５、駆動部４および二次電池３が配設されている。
回路ブロック５上には、基準クロックを発振する計時用の水晶振動子５１１と、標準電波の周波数に同調する同調信号生成用の同調用水晶振動子５１２、５１３と、現時刻を計時するとともに受信した時刻情報にて時刻修正を行う制御用ＩＣ５２とが設けられている。同調用水晶振動子は、たとえば、日本国内では、６０ｋＨｚの標準電波に同調するための水晶振動子５１３と、４０ｋＨｚの標準電波に同調するための水晶振動子５１２との二つが設けられる。また、例えば、欧米では、６０ｋＨｚの水晶振動子、７７．５ｋＨｚの水晶振動子を用いる。計時用水晶振動子５１１と同調用水晶振動子５１２、５１３との間に制御用ＩＣ５２が配設され、計時用水晶振動子５１１と制御用ＩＣ５２とは近接配置され、同調用水晶振動子５１２、５１３と制御用ＩＣ５２とは近接配置されている。
【０１００】
駆動部４および二次電池３については第１実施形態に説明した通りである。
駆動部４を構成する指針駆動用モータ４１は、略６時から略９時の範囲に配設されているところ、アンテナコア６１が設けられた範囲内に対応して配置されている。
本体ケース７は、プラスチック等の非導電性部材で形成されている。また、凹部７１の径は、図１１、図１２に示すように、アンテナ６のスペース分だけ全体に大きく形成されている。なお、凹部７１の径を全体に大きくすることなく、アンテナ６のアンテナコイル６２に対応する部分にのみ時計の略中央に向けて開口する凹み部分を形成してもよい。
裏蓋７４は非導電性のガラスで形成され、文字板７６１は非導電性部材で形成されている。
【０１０１】
以上、このような構成を備える第７実施形態によれば、上記実施形態の効果（１）（３）（４）（５）（６）（１１）（１２）に加えて、次の効果を奏することができる。
（１６）アンテナ６が地板８１の外周に沿う形状であり、地板８１の外周の端面に設けられている。すると、地板８１とアンテナ６とが一体化され、ムーブメント１００からアンテナ６が突出することない。また、本体ケース７にアンテナ６を収納するスペースを取る必要がないので、本体ケース７の胴を細くして本体ケース７の外形を小さくすることができる。その結果、全体として電波時計１を小型化でき、地板形状を自由に選択できるので時計のデザイン性も向上できる。
【０１０２】
（１７）アンテナコア６１は、薄板状のアモルファス金属板６１１を複数枚積層して形成されているので、比較的曲げやすく、アンテナ６をムーブメント１００の外周に沿って曲成することができる。また、一枚のアモルファス金属板６１１は薄いうえ、エポキシ樹脂で互いに絶縁されているので、各アモルファス金属板６１１に生じる渦電流を小さくすることができる。すると、渦電流により生じる磁界を抑制することができ、結果としてアンテナ６の受信感度を向上させることができる。
【０１０３】
（１８）巻真２６が略３時方向に配置されており、また、アンテナコア６１の端部が略３時付近に位置している。すると、巻真２６により誘導された電磁波がアンテナコア６１に鎖交しやすくなり、アンテナ６の鎖交磁束を増大させてアンテナ６の受信感度を向上させることができる。
【０１０４】
（１９）計時用水晶振動子５１１が制御用ＩＣ５２に近接され、同調用水晶振動子５１２、５１３が制御用ＩＣ５２に近接されている。よって、水晶振動子５１１〜５１３と制御用ＩＣ５２とを接続する配線の浮遊容量を低減することができる。その結果、計時誤差を低減でき、また、配線距離が短くなることによりインピーダンスが低減されるので、信号を伝送するエネルギーも減少させることができる。
【０１０５】
（２０）指針駆動用モータ４１のロータ４１３はステータ４１２から浮遊して回転するので、外部から外部磁界により回転周期に誤差が生じる場合もあるが、指針駆動用モータ４１の外側にアンテナコイル６２が設けられ、このアンテナコイル６２により時計体外部から侵入してくる外部磁界が遮蔽される。従って、指針駆動用モータ４１のロータ回転が正確に制御されるとともに、耐磁性能が小さいモータでも使用することができる。
【０１０６】
ここで、アンテナ６を地板８１の外周に沿って配置する場合には、図１４（Ａ）に示すように、地板８１の面上で最外縁に沿って配置してもよい。このような構成によれば、次の効果を奏することができる。
（２１）アンテナ６がムーブメント１００内に収められるので、より一層、時計を小型化することができる。なお、地板８１のアンテナコイル６２に対応する位置に凹み部を形成することにより、アンテナコイル６２の巻径を太くしても地板８１に邪魔されない構成とすることができる。
【０１０７】
あるいは、アンテナ６を地板８１の外周に沿って配置する場合に、図１４（Ｂ）に示すように、ムーブメント１００の中心と回転錘２１の中心とを偏心させてもよい。すなわち、回転錘２１の回転軸をムーブメント１００の中心から一方へ偏心させる。図１４（Ｂ）中では紙面下方、つまり１２時方向へ偏心させる。そして、アンテナ６は、地板８１の面上で最外縁に沿って、略６時方向を中心に略４時から略８時の範囲に配置されている。
このような構成によれば、次の効果を奏することができる。
（２２）ムーブメント１００と回転錘２１とが偏心することにより、外部衝撃によって時計体に与えられる運動から回転錘２１に作用するトルクが増大して、発電性能が向上する。
（２３）回転錘２１が６時方向に偏心して配置されているのに対して、アンテナ６は略６時方向に配置されている。従って、回転錘２１とアンテナ６との距離が広くなり、回転錘２１で電磁波が遮蔽されずにアンテナ６に到達しやすくなる。その結果、アンテナ６での受信性能を向上させることができる。
（２４）ムーブメント１００の中心に位置する指針軸と回転錘２１の回転軸とが重ならないことにより、時計の厚みを薄くすることができる。
【０１０８】
（第８実施形態）
次に、図１５を参照して、本発明の電子時計の第８実施形態を説明する。図１５（Ａ）に、第８実施形態の要部の平面図を示し、図１５（Ｂ）に第８実施形態の要部の部分断面図を示す。
第８実施形態の基本的構成は、上記実施形態と同様であるが、アンテナ６の形状および配置と、回転錘２１の回転軸の位置に特徴を有する。
図１５（Ａ）において、第８実施形態は、ムーブメント１００を構成する地板８１と、アンテナ６と、発電装置２を構成する回転錘２１と、外部操作機構７３を構成する巻真２６とを備えている。
アンテナ６は、略扁平矩形状のアンテナコア６１にアンテナコイル６２が巻きまわされて形成されたフラット型アンテナ６である。アンテナ６は、地板８１の面上の略３時方向で長手方向を６時から１２時に向かう方向に略平行にして配置されている。
回転錘２１は、ムーブメント１００の中心から略９時方向に偏心して設けられている。ここで、図１５（Ｂ）に示されるように、回転錘２１は、ガラスで形成された裏蓋７４側に位置しているのに対し、地板８１上に配設されたフラット型アンテナ６は、文字板７６１側に位置している。
巻真２６は、略３時方向から設けられ、フラット型アンテナ６の上をフラット型アンテナ６の短手方向で横断している。
なお、回転錘２１の回転軸を偏心させる方向やフラット型アンテナ６を配設する位置は特に限定されるものではなく、他の部品の配置によって種種選択できるものである。
【０１０９】
以上、このような構成を備える第８実施形態によれば、上記実施形態の効果（１）（４）（１４）に加えて、次の効果を奏することができる。
（２５）フラット型アンテナ６で薄型であるので巻真２６とを平面的に重ねて同じ側に配置することができる。そして、時計を身体からはずして、時計を机上面などに載置する場合には、巻真２６を上方（机上面とは反対側である）にする状態で載置するのが一般的である。すると、回転錘２１は９時側の下方に移動するところ、３時方向のアンテナ６と回転錘２１とが最も離隔することになる。よって、時計が机上面に載置された状態でアンテナ６の受信感度を向上させることができる。特に、電波受信の設定時刻を深夜に設定することにより、時計を載置した状態で電波受信を行う可能性が高くなる。その結果、アンテナ６で正確に標準電波を受信することができる。
【０１１０】
（２６）フラット型アンテナ６が地板上に配設されるのに対して、回転錘２１は、裏蓋７４側に位置する。よって、フラット型アンテナ６と回転錘２１とを回転錘２１の回転軸方向で離隔させることができる。すると、回転錘２１の回転軸に交差して進行する電磁波でも回転錘２１に遮蔽されずにアンテナ６で受信することができ、アンテナ６の受信感度を向上させることができる。
【０１１１】
（２７）回転錘２１の回転軸とムーブメント１００との中心とが偏心しているので、地板８１の面上で回転錘２１の回転軌跡から外側に出る部分ができる。よって、この回転錘２１の回転軌跡から外側の地板８１上にフラット型アンテナ６を配置できる。よって、組み立て時にアンテナ６を地板８１上に載置するだけでよいので、組み立てが簡単になり製造効率を向上させることができる。
【０１１２】
（第９実施形態）
次に、本発明の電子時計の第９実施形態について図１６、図１７、図１８を参照して説明する。図１６に第９実施形態のムーブメント１００を裏蓋７４側から見た平面図を示し、図１７にぜんまい２２１を示し、図１８に第９実施形態の部分断面図を示す。なお、図１６において、紙面上方を６時方向とし、紙面右方を３時方向とする。
第９実施形態において、本体ケース７、時計用ムーブメント１００、アンテナ６、文字板７６１、風防７５および裏蓋７４を備えている点は上記実施形態と同様である。
【０１１３】
図１６に示されるように、時計用ムーブメント１００は、地板８１および輪列受け８２と、地板８１の略中心を回転中心とする回転錘２１と、外部操作機構７３としての巻真２６と、回転錘２１および巻真２６にて巻き上げられる機械エネルギー蓄積機構としてのぜんまい２２１と、ぜんまい２２１の力で発電する発電機２８と、ぜんまい２２１と発電機２８とを連結するエネルギー伝達機構としての動力伝達部２２と、回路ブロック５とを備えて構成されている。
【０１１４】
地板８１は、略円形板状であり、非導電性部材（たとえば合成樹脂）または反磁性体材料（例えば黄銅）により形成されている。
地板８１の略中心を回転軸とする回転錘２１が設けられている。回転錘２１は、中心角が略９０度程度であり、３６０度以上回転可能に設けられている。回転錘２１は、導電性材料たとえば金や金合金、タングステン合金などの重金属で形成されている。
【０１１５】
地板８１上には、回転錘２１の回転にて巻き上げられる機械エネルギー蓄積機構としてのぜんまい２２１が設けられている。ぜんまい２２１は、図１７に示すように、香箱車２２２内に収納されており、また、着磁等によるトルク変動を防止するためアモルファス非磁性材で形成されている。
【０１１６】
回転錘２１の回転軸は、香箱真と一体回転する角穴車２２３に噛合しており、回転錘２１の回転により角穴車２２３が回転され、ぜんまい２２１が巻き上げられる。また、略３時方向にぜんまい２２１を手動で巻き上げる巻真２６が設けられている。巻真２６は、強磁性体からなる金属部材で形成されている。巻真２６の回転は、伝え車２２４を有する輪列により角穴車２２３に伝達され、巻真２６の回転によりぜんまい２２１が巻き上げられる。
ぜんまい２２１は、略１１時から略２時の範囲にわたって位置している。
【０１１７】
香箱車２２２の回転は、動力伝達部２２により発電機２８に伝達される。発電機２８の基本的構成は、第５実施形態で説明した発電機２８と同様の構成である。また、動力伝達部２２の途中には図示しない指針の軸が噛合しており、ぜんまい２２１のほどける力によって指針が回動される。発電機２８は、略７時から略８時の範囲に位置している。
【０１１８】
地板８１上に略三日月形状の回路ブロック５が設けられている。回路ブロック５の地板８１に対向する面には配線パターンが設けられている。回路ブロック５には、基準クロックを発振する計時用水晶振動子５１１と、標準電波に同調する信号を生成する同調信号用水晶振動子５１２、５１３と、制御用ＩＣ５２とが設けられている。同調信号用水晶振動子は、４０ｋＨｚ用（５１２）と６０ｋＨｚ用（５１３）の二つが設けられている。制御用ＩＣ５２は、略６時から略７時方向の範囲に位置して設けられている。計時用水晶振動子５１１、同調信号用水晶振動子５１２、５１３は、制御用ＩＣ５２を間にして設けられている。回路ブロック５には、図示しない電源ブロックが設けられ、発電機２８で発電された電力は電源ブロックに蓄電される。
【０１１９】
制御用ＩＣ５２は、計時用水晶振動子５１１の発振から生成される基準クロックに基づいて現時刻をカウントするとともに、発電コイル２８５に流れる電流値を制御することで回転子円板２８１、２８２の回転速度を調整（回転制御）して輪列２７に接続された指針（不図示）の運針を正確に制御する。そして、指針による時刻表示が遅れた場合には、発電機２８に加速パルスを印加する。なお、時刻表示の確認は、秒針が接続された秒車の歯車の一つを他の歯車よりも負荷が大きくなるように形成し、発電コイルの誘起電圧と秒車の回転速度とを比較して基準通りのタイミングで秒車が回転しているか確認することが例示される。あるいは、秒車の歯車の一つに光が通過する貫通孔を形成して、この貫通孔を通過する光のタイミングで秒車の回転を確認してもよい。
また、制御用ＩＣ５２は、アンテナ６で受信した標準電波の時刻情報に基づいて現時刻カウントを修正し、併せて指針位置を修正する。
【０１２０】
回路ブロック５は、ＦＰＣ（Ｆｌｅｘｉｂｌｅ  Ｐｒｉｎｔｅｄ  Ｃｉｒｃｕｉｔ）で形成され可撓性を有し、回路受座５３と回路受け５４とによって挟持された状態で地板８１上に搭載されている。回路受座５３および回路受け５４はセラミックや合成樹脂等の電気絶縁部材で形成されている。
【０１２１】
ムーブメント１００の外周に沿ってアンテナ６が設けられている。アンテナ６は、回路受座５３の外周端部に設けられている。アンテナ６の構成は、第７実施形態で説明したのと同様である。アンテナコア６１は、略１２時方向から略８時方向に渡って回路受座５３の外周の端部に設けられている。アンテナコイル６２は、略４時方向を中心としてアンテナコア６１に巻きまわされている。アンテナコイル６２と制御用ＩＣ５２とは図示しない配線によって接続されている。
【０１２２】
以上、このような構成を備える第９実施形態によれば上記実施形態の効果（１）（２）（４）（１１）（１２）（１４）（１６）（１７）（１８）（１９）に加えて、次の効果を奏することができる。
（２８）アンテナコイル６２が略１２時方向から略８時方向に渡りムーブメント１００を囲んでいるので、アンテナコア６１により時計体の外部から侵入してくる外部磁界が時計体の内部に入る前に遮蔽される。よって、発電機２８に外部磁界が影響せず耐磁性能を向上させることができる。発電機２８に外部磁界が影響しないことから発電機２８による回転制御が正確に行われ、正確な指針の運針を行うことができる。
【０１２３】
（２９）アンテナ６は、回路受座５３の外周端部に設けられているので、回路受座５３に支持される回路ブロック５とアンテナ６との配線距離を短くすることができ、同時に、制御用ＩＣ５２とアンテナ６とを近接させることができる。
（３０）発電機２８の発電コイル２８５の軸線が地板８１に略直交する方向を向いており、すなわち、アンテナ６の軸線に対して略直交している。従って、発電機２８からの磁界の方向とアンテナ６の磁界の方向とが略直交することとなり、互いに干渉しにくい配置となる。また、図９に示されるように、発電機２８に生じる磁界は、発電機２８の発電コイル２８５と磁石２８４とで閉ループを描くので、外に漏れにくい構成となっている。よって、アンテナ６と発電機２８とが磁気的に互いに干渉しにくくなり（相互インダクタンス減少）、アンテナ６と発電機２８とを互いに近接させて配置することができる。
【０１２４】
尚、本発明の電子時計および電子機器は、上述の実施形態にのみ限定されるものではなく、本発明の要旨を逸脱しない範囲内において種々変更を加え得ることは勿論である。
回転錘２１は、３６０度以上回転するものでなく、３６０度未満で揺動するものであってもよい。
第１実施形態において、アンテナ６の中心軸６Ａと発電用コイル２５の中心軸２５Ａとが交差する角度は、略９０度でなくても６０度以上、１２０度以下の範囲でもよい。このような構成によっても、発電用コイル２５からの磁界の磁束がアンテナ６に沿わないので、アンテナ６にこの磁界が影響しにくい。
上記各実施形態において、指針駆動用モータ４１または二次電池３の数は特に限定されず、一つでも二つ以上でもよい。
【０１２５】
上記各実施形態において、磁界遮蔽部材は、モータ４１のコイルコア４１５や二次電池３のケースに限らず、例えば、磁界遮蔽用の磁界シールド材を新たに設けて構成してもよい。
この磁界遮蔽部材としては、鉄、ニッケルや、パーマロイ、アモルファス金属等の各種合金が利用でき、いわゆる高透磁率の強磁性体であればよい。
指針駆動モータ４１のコイルコア４１５はＣｏ（コバルト）が５０ｗｔ％以上となるコバルト系アモルファス金属で形成されてもよい。モータ用ステータ４１２は鉄が５０ｗｔ％以上の鉄系アモルファス金属で形成されていてもよい。このようなアモルファス金属は透磁率が高いので、コイルコア４１５やモータ用ステータ４１２を磁界遮蔽部材として利用することができる。さらに、コイルコア４１５がＣｏ５０ｗｔ％以上のアモルファス金属で形成された場合、鉄損を防ぎモータの効率を上げることができる。
【０１２６】
さらに、上記各実施形態において、磁界遮蔽手段は、必ずしも設けなくてもよい。すなわち、本発明では、アンテナ６は回転錘２１の回転軌跡の径方向外側に配置されていればよく、アンテナ６と発電コイル２５間の磁界遮蔽手段の有無は限定されない。磁界遮蔽手段が設けられていなくても、発電コイル２５とアンテナ６との間の寸法がある程度確保されれば、発電コイル２５からの磁界の影響を低減できるためである。
【０１２７】
上記各実施形態において、アンテナ６で無線情報を受信している間は、指針駆動用モータ４１の駆動を停止してもよい。このように無線情報に受信時に指針駆動用モータ４１の電流を停止しておけば、指針駆動用モータ４１から発生する磁界がアンテナ６に重畳されることがなく、また、指針駆動用モータ４１のモータ用コイル４１１で発電コイル２５からの磁界を効率よく遮蔽することができる。ちなみに、指針を駆動させるために必要な電流は間欠的で微弱なものでよいので、このような電流が指針駆動用モータ４１に流れていても、モータ用コイル４１１から発生する磁界は弱いものであり、磁界遮蔽手段としても十分に機能するものである。
【０１２８】
上記実施形態において、アンテナ６をムーブメント１００の外周に沿って配置する場合に、地板８１や回路受座５３にアンテナ６を取り付けるとして説明したが、この他、例えば、アンテナ６をムーブメントの外周に沿った形状に湾曲させて、このアンテナ６をムーブメント１００の外縁に沿って本体ケース７に取り付けてもよい。
【０１２９】
第８実施形態の図１５において、ムーブメント１００の中心と回転錘の回転軸とが異なっている場合について説明したが、この際、地板８１を楕円形として回転錘２１の回転半径を地板８１の楕円の長軸よりも短く形成してもよい。このような構成においても地板８１上で回転錘２１の回転半径の外側となる領域ができるからである。
また、上記各実施形態において、回転錘２１の回転中心と指針の指針軸とをずらす場合には、指針の指針軸がムーブメント１００の中心で回転錘２１の回転軸がムーブメント１００の中心からずれていてもよく、あるいは、回転錘２１の回転軸をムーブメント１００の中心にして指針の指針軸をムーブメント１００の中心からずらすようにしてもよい。さらに、回転錘２１は文字板の上部とガラスとの間にあってもよい。
【０１３０】
第９実施形態において、機械エネルギー蓄積機構はぜんまいとして説明したが、機械エネルギー蓄積機構はぜんまいに限られず、例えば、ゴムやスプリング等を利用することができる。
ここで、各実施形態において、アンテナコイルは整列巻きされていることが望ましい。このような構成によれば、外観上見栄え良く精緻な印象を与えることができる。また、鎖交磁束のベクトルを揃えることにより受信感度を向上させることができる。なお、巻線の材質として銅線、銀線等を用いることが例示される。そして、アンテナコイルの巻線の断面形状は略正方形であることが望ましい。すると、巻線の断面を円形にする場合に比べ、アンテナコアに巻線を巻きつけたときに巻線同士の間に隙間が生じない。その結果、巻き数を多くするとともに巻線を隙間無く集中させて巻くことができ、鎖交磁束を増大かつ集中させることで受信感度を向上させることができる。また、同じ巻き数であればアンテナ８自身を小型化することができ。電波修正時計自体を小型化することができる。
また、アンテナコイルの巻線の断面が円形状である場合には、アンテナコアに巻線を巻き付ける際に、巻線の塑性変形域内の引っ張り応力で引っ張りながら巻線の断面形状を略六角形に変形させた状態で巻き付けてもよい。すると、巻線が蜂の巣状に巻かれるのでデッドスペースがなくなり小型化を図ることができる。また、巻線を隙間無く集中して巻くことができるので、鎖交磁束を集中させて受信感度を向上させることができる。
【０１３１】
本発明は電波時計に限られず、回転錘２１とアンテナ６を備え、無線情報を受信する電子時計、または、計時機構を備えない電子機器でもよい。そして、携帯ラジオやオルゴール、携帯電話、携帯無線機、電子手帳など種々の電子機器に適用でき、特に回転錘２１を利用して発電するため、短時間で速効充電ができるので、利用者が携帯する小型の電子機器に適している。例えば、気圧、ガス濃度、電圧、電流などの物理特性の測定結果が無線情報で送信され、その無線情報を受信する電子機器が指針を駆動して測定値をアナログ表示するなどでもよい。
【０１３２】
また、無線情報は長波標準電波による時刻情報に限られない。例えば、ＦＭやＧＰＳあるいはブルーツースや非接触ＩＣカードでの無線情報でもよく、ニュースや天気予報、株価情報など無線情報の内容も限定されない。
受信された外部無線情報が、例えば、天気予報であれば、予め設けられた晴れ、曇り、雨といった情報を指針で指し示すように、指針駆動によって表示されてもよく、また、ニュースや株価情報などは液晶表示装置などの電子表示装置によって表示されてもよい。
また、上記実施形態は、適宜組み合わせてもよい。
【０１３３】
【発明の効果】
以上、説明したように本発明の電波時計および電子機器によれば、回転錘を備える発電機構で発電することができ、かつ、無線情報を受信することができるという優れた効果を奏し得る。
【図面の簡単な説明】
【図１】本発明の第１実施形態において、裏蓋をはずした内部構成図である。
【図２】前記第１実施形態の要部を示す断面図である。
【図３】本発明の第２実施形態において、裏蓋をはずした内部構成図である。
【図４】本発明の第３実施形態において、裏蓋をはずした内部構成図である。
【図５】本発明の第４実施形態において、裏蓋をはずした内部構成図である。
【図６】前記第４実施形態において、図５中ＶＩ−ＶＩ線における断面図である。
【図７】前記第４実施形態において、発電コイルから二次電池までの回路を示す図である。
【図８】本発明の第５実施形態において、裏蓋をはずした内部構成図である。
【図９】前記第５実施形態において、発電機の断面図である。
【図１０】本発明の第６実施形態の要部の断面図である。
【図１１】本発明の第７実施形態の裏蓋をはずした内部構成図である。
【図１２】前記第７実施形態において、要部の断面図である。
【図１３】前記第７実施形態において、アンテナの断面図である。
【図１４】（Ａ）アンテナの配設位置の変形例を示す図である。（Ｂ）アンテナの配設位置および回転錘の回転中心の位置についての変形例を示す図である。
【図１５】（Ａ）本発明の第８実施形態において、要部の平面図である。（Ｂ）前記第８実施形態の要部の断面図である。
【図１６】本発明の第９実施形態において、裏蓋をはずした内部構成図である。
【図１７】前記第９実施形態において、ぜんまいを示す図である。
【図１８】前記第９実施形態において、要部の断面図である。
【符号の説明】
２…発電装置（発電機構）、３、３ａ、３ｂ…二次電池（磁界遮蔽手段）、６…アンテナ、１…電波時計（電子時計、電子機器）、２１…回転錘、２５…発電用コイル、４１、４１ａ、４１ｂ…指針駆動用モータ（ステッピングモータ）、５１…水晶振動子、５２…制御用ＩＣ（計時機構、受信機構）、６１…アンテナコア、Ｏ…回転中心、Ｒ…回転半径
【図１】
0003596548.tif 000002
【図２】
0003596548.tif 000003
【図３】
0003596548.tif 000004
【図４】
0003596548.tif 000005
【図５】
0003596548.tif 000006
【図６】
0003596548.tif 000007
【図７】
0003596548.tif 000008
【図８】
0003596548.tif 000009
【図９】
0003596548.tif 000010
【図１０】
0003596548.tif 000011
【図１１】
0003596548.tif 000012
【図１２】
0003596548.tif 000013
【図１３】
0003596548.tif 000014
【図１４】
0003596548.tif 000015
【図１５】
0003596548.tif 000016
【図１６】
0003596548.tif 000017
【図１７】
0003596548.tif 000018
【図１８】
0003596548.tif 000019